【手続補正書】
【提出日】平成19年7月6日(2007.7.6)
【手続補正１】
【補正対象書類名】明細書
【補正対象項目名】００４６
【補正方法】変更
【補正の内容】
【００４６】
そこで、本発明においては、復調器７の後に新たに乗算器と第２のレベル検出器と第２の自動利得制信号発生器からなる自動利得制御器を設け、乗算器８と第２のレベル検出器と第２の自動利得制信号発生器との間で利得制御ループを形成する。なお、これら新たに設けられた乗算器と第２のレベル検出器と第２の自動利得制信号発生器との間の遅延時間は非常に小さいので、デジタル放送波Ｓｒｆの周波数変動に十分追従できる。
【手続補正２】
【補正対象書類名】明細書
【補正対象項目名】００５８
【補正方法】変更
【補正の内容】
【００５８】
次に、図２を参照して上述の第１のレベル検出器ＬＤ１ａについて詳細に説明する。第１のレベル検出器ＬＤ１ａは、減算器１２、積分器１００、ビットシフタ１５、および第１の平均化係数付与器１５０ａ１を含む。積分器１００は、加算器１３および遅延器１４を含む。第１のレベル検出器ＬＤ１ａに入力される変調されたデジタル信号ＳＭＤａは、減算器１２でビットシフタ１５から出力される平均化信号Ｙ１ａ／２ｎで減算されて積分器１００に出力される。
【手続補正３】
【補正対象書類名】明細書
【補正対象項目名】００６０
【補正方法】変更
【補正の内容】
【００６０】
ビットシフタ１５は、積分器１００の遅延器１４から入力される積分化信号Ｙ１ａを、設定されたビット数ｎだけシフトして平均化信号Ｙ１ａ／２ｎとして減算器１２に出力すると共に、第１のレベル信号ＳＬ１ａとして第１の自動利得制御信号発生器ＳＧ１ａに出力する。第１の平均化係数付与器１５０ａ１は、ビットシフタ１５のシフトビット数ｎを規定するシフトビットパラメータＮ１ａを出力する。
【手続補正４】
【補正対象書類名】明細書
【補正対象項目名】００６４
【補正方法】変更
【補正の内容】
【００６４】
ビットシフタ１５では、遅延器１４から入力されるＹ１ａ（ｔ＋１）を、第１の平均化係数付与器１５０ａ１から出力される第１の平均化係数Ｎ１ａで規定されるビット数だけシフトして、平均化信号Ｙ１ａ（ｔ＋１）／２Ｎ１ａが生成される。この平均化信号Ｙ１ａ（ｔ＋１）／２Ｎ１ａは、第１のレベル検出器ＬＤ１ａに入力される変調されたデジタル信号ＳＭＤａを２Ｎ１ａ個のデータ値に基づいて求めた平均値に相当する。この意味において、シフトビット数ｎはビットシフタ１５による平均値を求めるデータの必要数を規定する。つまり、２ｎが第１のレベル検出器ＬＤ１ａが入力される変調されたデジタル信号ＳＭＤａの平均値を求めるために必要なデータ数であり、シフトビット数ｎは平均化係数である。以降、２ｎを平均化データ数と呼ぶ。
【手続補正５】
【補正対象書類名】明細書
【補正対象項目名】００６５
【補正方法】変更
【補正の内容】
【００６５】
第１の平均化係数付与器１５０ａ１は、平均化係数ｎを規定する第１の平均化係数Ｎ１ａをビットシフタ１５に付与する手段である。例えば、平均化データ数２ｎが４０９６、つまり４０９６（２１２）個のデータから平均値を求める際には、ｎ＝１２の値を表す第１の平均化係数Ｎ１ａが第１の平均化係数付与器１５０ａ１からビットシフタ１５に出力される。そして、ビットシフタ１５は、第１の平均化係数Ｎ１ａが表す１２の値を平均化係数ｎとして設定して、遅延器１４からの出力の２１２（４０９６）個のデータの値の平均値を求めて、第１のレベル信号ＳＬ１ａを出力する。
【手続補正６】
【補正対象書類名】明細書
【補正対象項目名】０１１３
【補正方法】変更
【補正の内容】
【０１１３】
切り換えスイッチ５２の出力は加算器４７から出力される−Ｚ２ａ＋２５６が０以下の値の場合には１を出力し、正の値の場合には−Ｚ２ａ＋２５６の値を出力するため、除算器５３において切り換えスイッチ５２の出力を２５６で割ると、１／２５６〜２５５／２５６の値を有する第２の利得制御信号ＳＡＧ２ａが乗算器８に入力される。結果、乗算器８から出力されるの復調されたデジタル信号ＳＤＭＤａの値は、乗算器８に入力される復調デジタル信号ＳＤＤａの値より小さくなる。
【手続補正７】
【補正対象書類名】明細書
【補正対象項目名】０１１５
【補正方法】変更
【補正の内容】
【０１１５】
つまり第２のレベル検出器ＬＤ２ａから出力される第２のレベル信号ＳＬ２ａが第２のリファレンス値Ｒ２と同じ値の場合には、加算器４７からの出力値は２５６となる。切り換えスイッチ５２の出力は加算器４７の出力が０以下の値の場合には１を出力し、正の値の場合には加算器４７からの出力値を出力するため、加算器４７からは２５６が出力され、除算器５３において切り換えスイッチ５２の出力を２５６で割ると、１の値が乗算器８に入力され、乗算器８の出力される復調されたデジタル信号ＳＤＭＤａの値は乗算器８に入力される復調デジタル信号ＳＤＤａの値と同じになる。
【手続補正８】
【補正対象書類名】明細書
【補正対象項目名】０１１７
【補正方法】変更
【補正の内容】
【０１１７】
つまり、第２のレベル検出器ＬＤ２ａから出力される第２のレベル信号ＳＬ２ａが第２のリファレンス値Ｒ２より大きい場合には、加算器４７からの出力値は２５６より大きい値となる。切り換えスイッチ５２の出力は加算器４７から出力される−Ｚ２ａ＋ＧＲＳ（２５５以下の値）が０以下の値の場合には１を出力し、正の値の場合には−Ｚ２ａ＋ＧＲＳ（２５５以下の値）を出力するため、除算器５３において切り換えスイッチ５２の出力を２５６で割ると、１／２５６〜（１０２３＋２５６）／２５６の値を有する第２の利得制御信号ＳＡＧ２ａが乗算器８に入力され、乗算器８からは復調デジタル信号ＳＤＤａの値より大きな値を有する復調されたデジタル信号ＳＤＭＤａが出力される。
【手続補正９】
【補正対象書類名】明細書
【補正対象項目名】符号の説明
【補正方法】変更
【補正の内容】
【符号の説明】
Ｒｃ、ＲＰａ、ＲＰｂ、ＲＰｃ、ＲＰｄ  ＯＦＤＭ受信装置
１  アンテナ
２  チューナ
３  ＡＤ変換器
７  復調器
ＡＧＣ  自動利得制御器
ＡＧＣ１ａ、ＡＧＣ１ｂ、ＡＧＣ１ｃ、ＡＧＣ１ｄ  第１の自動利得制御器
ＡＧＣ２ａ、ＡＧＣ２ｂ、ＡＧＣ２ｃ、ＡＧＣ２ｄ  第２の自動利得制御器
ＬＤ  レベル検出器
ＬＤ１ａ、ＬＤ１ｂ  第１のレベル検出器
ＬＤ２ａ、ＬＤ２ｂ  第２のレベル検出器
ＳＧ  自動利得制御信号発生器
ＳＧ１ａ、ＳＧ１ｂ、ＳＧ１ｃ、ＳＧ１ｄ  第１の自動利得制御信号発生器
ＳＧ２ａ、ＳＧ２ｂ、ＳＧ２ｃ、ＳＧ２ｄ  第１の自動利得制御信号発生器
ＬＣ  レベル変換器
ＬＣ１  第１のレベル変換器
ＬＣ２  第２のレベル変換器
８  乗算器
１２  減算器
１３  加算器
１４  遅延器
１５  ビットシフタ
１５０ａ１、１５０ｂ１、１５０ｃ１  第１の平均化係数付与器
１５０ａ２、１５０ｂ２、１５０ｂ２  第２の平均化係数付与器
１６  リファレンス値付与器
１６ａ  第１のリファレンス値付与器
１７  乗算器
１８ａ１、１８ｂ１、１８ｃ１、１８ｄ１  第１の定数付与器
１９  加算器
２０  遅延器
２１  積分器
２２  ＰＷＭ
２３  ローパスフィルタ
３３  乗算器
３４  反転係数付与器
３７ｃ、３７ｄ  レベル判定器
４６  補償係数付与器
４７  加算器
４８  利得設定範囲係数付与器
５０  誤差設定器
５１  レベル判定器
５２  切り換えスイッチ
５３  除算器
ＲＦ、Ｓｒｆ  デジタル放送波
ＳＧｃ制御信号
ＳＭＡ、ＳＭＡａ、ＳＭＡｂ、ＳＭＡｃ、ＳＭＡｄ  アナログ変調信号
ＳＭＤ、ＳＭＤａ、ＳＭＤｂ、ＳＭＤｃ、ＳＭＤｄ  デジタル変調信号
ＳＤＤ、ＳＤＤａ、ＳＤＤｂ、ＳＤＤｃ、ＳＤＤｄ  復調デジタル信号
ＳＤＭＤ、ＳＤＭＤａ、ＳＤＭＤｂ、ＳＤＭＤｃ、ＳＤＭＤｄ  デジタル復調調信号
ＳＬ  レベル信号
ＳＬ１ａ、ＳＬ１ｂ、ＳＬ１ｃ、ＳＬ１ｄ  第１のレベル信号
ＳＬ２ａ、ＳＬ２ｂ、ＳＬ２ｃ、ＳＬ２ｄ  第２のレベル信号
ＳＡＧ  制御信号
ＳＡＧ１ａ、ＳＡＧ１ｂ、ＳＡＧ１ｃ、ＳＡＧ１ｄ  第１の利得制御信号
ＳＡＧ２ａ、ＳＡＧ２ｂ、ＳＡＧ２ｃ、ＳＡＧ２ｄ  第２の利得制御信号
Ｒ  リファレンス値
Ｒ１  第１のリファレンス値
Ｒ２  第２のリファレンス値
Ｇ１ａ、Ｇ１ｂ、Ｇ１ｃ、Ｇ１ｄ  第１の定数
Ｇ２ａ、Ｇ２ｂ、Ｇ２ｃ、Ｇ２ｄ  第２の定数
Ｇ１  小定数
Ｇ２  大定数
ＯＢ  補償係数
ＧＲＳ  利得設定範囲係数
【手続補正１０】
【補正対象書類名】図面
【補正対象項目名】図２
【補正方法】変更
【補正の内容】
【図２】
2002077769.tif 000001
【手続補正１１】
【補正対象書類名】図面
【補正対象項目名】図４
【補正方法】変更
【補正の内容】
【図４】
2002077769.tif 000002
【手続補正１２】
【補正対象書類名】図面
【補正対象項目名】図８
【補正方法】変更
【補正の内容】
【図８】
2002077769.tif 000003
【手続補正１３】
【補正対象書類名】図面
【補正対象項目名】図１０
【補正方法】変更
【補正の内容】
【図１０】
2002077769.tif 000004